(57)【要約】【課題】顎骨に形成するインプラント用のフィクスチャー埋設穴の穿孔深さを容易且つ確実に衛生的に計測できるインプラント植設用穿孔深さゲージを提供すること。【解決手段】顎骨１に穿設されたフィクスチャー埋設穴２に挿入可能で且つ軸線方向に目盛りを有する測定軸（ゲージ本体１１）と、前記測定軸（ゲージ本体１１）の軸線と交差する方向に向けて前記測定軸（ゲージ本体１１）の基端部に設けられた取付部１４と、前記取付部１４に固定手段（雌ねじ部１４ｂ、雄ねじ部１２ｂ）で着脱可能に取り付けられた取手１２を有する。【選択図】  図１
2012024247.tif 000002
【特許請求の範囲】
【請求項１】
顎骨に穿設されたフィクスチャー取付用の埋設穴に挿入可能で且つ軸線方向に目盛りを有する測定軸と、前記測定軸の軸線と交差する方向に向けて前記測定軸の基端部に設けられた取付部と、前記取付部に固定手段で着脱可能に取り付けられた取手を有することを特徴とするインプラント植設用穿孔深さゲージ。
【請求項２】
請求項１に記載のインプラント植設用穿孔深さゲージにおいて、前記固定手段は、前記取付部に設けられた雌ねじ部と、前記取手に設けられ且つ前記雌ねじ部に螺着された雄ねじ部であることを特徴とするインプラント植設用穿孔深さゲージ。
【請求項３】
請求項１に記載のインプラント植設用穿孔深さゲージにおいて、前記固定手段は、前記取付部に設けられた雄ねじ部と、前記取手に設けられ且つ前記雄ねじ部に螺着された雌ねじ部であることを特徴とするインプラント植設用穿孔深さゲージ。
【発明の詳細な説明】
【技術分野】
【０００１】
この発明は、歯科医療においてインプラントを埋設させる埋設穴の深さを測定するインプラント植設用穿孔深さゲージに関するものである。
【背景技術】
【０００２】
歯を失ったときに、インプラントである人工歯根を顎骨に埋め込み、この人工歯根に義歯を装着して、咀嚼や審美性の回復を図るインプラント治療がある。この人工歯根としては、フィクスチャーと呼ばれるチタン製のスクリュータイプやコーンタイプのものが用いられている。このフィクスチャーを埋設するために、ドリルやオステオトームを使用して、図５に示したように顎骨１にフィクスチャー埋設穴（インプラント植設用穿孔部）２を形成することが一般に知られている。
【０００３】
このようなフィクスチャー埋設穴２の深さは、フィクスチャーの寸法に応じた深さに正確に設定する必要がある。このため従来は、例えば図５に示したような深さゲージ３を設けて、この深さゲージ３によりフィクスチャー埋設穴２の深さを測定することも知られている。この深さゲージ３は、軸状のゲージ本体４と、このゲージ本体４に設けられた複数の目盛り線５と、ゲージ本体４の扁平な基端部４ａに設けた貫通孔６を備えている。この目盛り線５は、周方向に環状に延びる環状溝をゲージ本体４の軸線方向に等間隔で複数形成することにより、設けたものである（例えば特許文献１参照）。
【０００４】
このような深さゲージ３を用いてフィクスチャー埋設穴２の深さを測定する際には、深さゲージ３が誤って飲み込まれるのを防止するために、貫通孔６に飲み込みを防止させる糸７を挿通して、この糸７を掴むようにしている。
【０００５】
この状態で、先ずゲージ本体４の基端部４ａを指で挟んで、このゲージ本体４を口中に入れる。そして、このゲージ本体４を先端部からフィクスチャー埋設穴２内に挿入して、ゲージ本体４の先端部をフィクスチャー埋設穴２の底に当接させる。次に、ゲージ本体４のフィクスチャー埋設穴２から突出する部分に位置する目盛り線５のうち顎骨１の端面に最も近いものからフィクスチャー埋設穴２の穿孔深さを読み取るようにしている。
【先行技術文献】
【特許文献】
【０００６】
【特許文献１】特開平８−１０３４５６号公報
【発明の概要】
【発明が解決しようとする課題】
【０００７】
しかしながら、深さゲージ３は径が非常に小さいにも拘わらず、この深さゲージ３を掴む人の指が太いために、深さゲージ３を患者の口内に入れる作業が難しいものであった。
【０００８】
また、飲み込み防止用の糸７を設けていたとしても、深さゲージ３は径が非常に小さいにも拘わらず、この深さゲージ３を掴む人の指が太いために、深さゲージ３を患者の口内でフィクスチャー埋設穴２に挿入する作業を行う際に、深さゲージ３が保持する人の指から外れた場合、深さゲージ３を患者がある程度飲み込んでしまうことも考えられる。
【０００９】
これらの結果、フィクスチャー埋設穴２の穿孔深さを正確に計測することが難しいものであると共に、 計測に時間が掛かるものであった。
【００１０】
しかも、フィクスチャー埋設穴２の穿孔深さを計測する際には、人の指も患者の口内にはいるため、不衛生とならないように、衛生に気をつける必要があった。
【００１１】
そこで、この発明は、顎骨に形成するインプラント用のフィクスチャー埋設穴の穿孔深さを容易且つ確実に衛生的に計測できるインプラント植設用穿孔深さゲージを提供することを目的とするものである。
【課題を解決するための手段】
【００１２】
この目的を達成するため、この発明のインプラント植設用穿孔深さゲージは、顎骨に穿設されたフィクスチャー取付用の埋設穴に挿入可能で且つ軸線方向に目盛りを有する測定軸と、前記測定軸の軸線と交差する方向に向けて前記測定軸の基端部に設けられた取付部と、前記取付部に固定手段で着脱可能に取り付けられた取手を有することを特徴とする。
【発明の効果】
【００１３】
この構成によれば、顎骨に形成するインプラント用のフィクスチャー埋設穴の穿孔深さを容易且つ確実に衛生的に計測できる。
【図面の簡単な説明】
【００１４】
【図１】この発明に係るインプラント植設用穿孔深さゲージの斜視図である。
【図２】図１のインプラント植設用穿孔深さゲージの使用説明図である。
【図３】図１のインプラント植設用穿孔深さゲージ断面図である。
【図４】この発明のインプラント植設用穿孔深さゲージの他の例を示す説明図である。
【図５】従来のインプラント植設用穿孔深さゲージの一例を示す説明図である。
【発明を実施するための形態】
【００１５】
以下、この発明の実施の形態を図面に基づいて説明する。
[構成]
図１は、この発明に係るインプラント植設用穿孔深さゲージ（以下、単に「深さゲージ」と略称）１０を示した斜視図である。この深さゲージ１０は、軸状のゲージ本体(測定軸）１１と取手１２を有する。このゲージ本体１１には、目盛１３が設けられている。この目盛１３は、図１〜図３に示したように、ゲージ本体１１の軸線方向に間隔をおいて設けられた複数の目盛り線１３ａ，１３ｂ，１３ｃ，１３ｄを備えている。この目盛り線１３ａ，１３ｂ，１３ｃ，１３ｄは、ゲージ本体１１に周方向に延びる環状溝を形成することにより設けたものである。
【００１６】
また、目盛り線１３ａ，１３ｂ，１３ｃ，１３ｄの内、中間部に位置する目盛り線１３ｂ，１３ｃの間隔Ｌが他の目盛り線１３ａ，１３ｂの間隔及び１３ｃ，１３ｄの間隔の半分に形成されている。しかも、目盛り線１３ｂはゲージ本体１１の先端から何ミリの位置に位置するか、目盛り線１３ｃはゲージ本体１１の先端から何ミリの位置に位置するかが予め設定されている。
【００１７】
これにより、深さゲージ１０を顎骨１のフィクスチャー埋設穴２に挿入して深さを計測する際、目盛り線１３ａ，１３ｂ，１３ｃ，１３ｄに対応する深さを示す数値がゲージ本体１１に設けられていなくても、目盛り線１３ｂ，１３ｃがゲージ本体１１の先端から何ミリの位置に位置するかを予め設定しておけば、目盛り線１３ｂ，１３ｃがゲージ本体１１の先端から何ミリの位置に位置するからフィクスチャー埋設穴２の穿孔深さを容易に把握できる。
【００１８】
尚、ゲージ本体１１の径は非常に小さいために、目盛り線１３ａ，１３ｂ，１３ｃ，１３ｄに対応する深さを示す数値がゲージ本体１１に設けるのが難しく、仮に設けたとしても数値が小さいために読み取りにくくなるが、目盛り線１３ｃ，１３ｄの間隔Ｌが他の目盛り線１３ａ，１３ｂの間隔及び１３ｃ，１３ｄの間隔の半分に形成することで、目盛り線１３ｂ，１３ｃがゲージ本体１１の先端から何ミリの位置に位置するかを予め設定しておけば、目盛り線１３ｂ，１３ｃを基準にフィクスチャー埋設穴２の穿孔深さを容易に把握できる。
【００１９】
また、ゲージ本体１１の基端部１１ａには、厚肉の取付部１４が設けられている。この取付部１４には、図３に示したように貫通孔１４ａが形成され、この貫通孔１４ａには雌ねじ部１４ｂが設けられている。
【００２０】
さらに、取手１２は、把持軸１２ａと、把持軸１２ａの一端部に設けられた雄ねじ部１２ｂと、把持軸１２ａの一端部に設けられた抜け止め用のフランジ（ストッパ部）１２ｃを有する。この取手１２は、雄ねじ部１２ｂを雌ねじ部１４ｂに螺着して、フランジ１２ｃを取付部１４に当接させることで、取付部１４に着脱可能に固定されている。この雄ねじ部１２ｂと雌ねじ部１４ｂは、取手１２をゲージ本体１１に着脱可能に取り付ける固定手段を構成している。
【００２１】
次に、このような構成の深さゲージ１０の作用を説明する。
【００２２】
この深さゲージ１０は、通常、ゲージ本体１１から取手１２を取り外した状態で、収納ボックス等に収納しておくことにより、収納スペースの確保や収納状態の整然性の確保を容易にできる。
【００２３】
そして、使用する際には、この取手１２の雄ねじ部１２ｂをゲージ本体１１の雌ねじ部１４ｂに螺着して、取手１２のフランジ１２ｃをゲージ本体１１の取付部１４に当接させることで、取手１２をゲージ本体１１の取付部１４に固定する。この状態において深さゲージ１０は、図１のようにゲージ本体１１と取手１２からＬ字状になっている。
【００２４】
このような深さゲージ１０を使用する場合、取手１２を掴んでゲージ本体１１を先端部が底に当たるまで、図２の顎骨１に形成したフィクスチャー埋設穴２に挿入する。この状態で、目盛り線１３ｂ，１３ｃの位置を参考にしながら目盛り線１３ａ，１３ｂ，１３ｃ，１３ｄ等のうち顎骨１の端面の位置に対応するものから、フィクスチャー埋設穴２の穿孔深さを読み取ることで、フィクスチャー埋設穴２の穿孔深さを容易に計測できる。
【００２５】
この計測に際しては、取手１２を掴んでいる指は患者の口腔から外に出しておくことができるので、深さゲージ１０を掴む指が患者の口内に入ることで生じていた不衛生な状態が生じるのを回避できる。しかも、取手１２はゲージ本体１１よりも大きく長いので、ゲージ本体１１をフィクスチャー埋設穴２に挿入する際に、取手１２を掴んでいたが指から取手１２が誤って離れてしまっても、深さゲージ１０が飲み込まれるようなことも回避できる。
【００２６】
尚、取手１２は、長さの異なるものを複数用意しておくことで、フィクスチャー埋設穴２が設けられる位置に応じて、最適な長さとすることもできる。また、フィクスチャー埋設穴２の径に応じた径のゲージ本体１１が複数用意されている場合でも、一つの取手１２で対応できる。
【００２７】
更に、ゲージ本体１１と取手１２は、軸線同士が垂直な状態で交差（直交）しているが、垂直でなく鈍角な状態で交差していても良い。また、取手１２は、軸状であるが、雄ねじ部の部分のみが軸状であれば、他の部分は必ずしも軸状である必要はない。また、目盛り線１３ａ，１３ｂ，１３ｃ，１３ｄ等は図４に示したように等間隔であってもよい。
【００２８】
以上説明したように、この発明の実施の形態のインプラント植設用穿孔深さゲージ（深さゲージ１０）は、顎骨１に穿設されたフィクスチャー埋設穴２に挿入可能で且つ軸線方向に目盛りを有する測定軸（ゲージ本体１１）と、前記測定軸（ゲージ本体１１）の軸線と交差する方向に向けて前記測定軸（ゲージ本体１１）の基端部に設けられた取付部１４と、前記取付部１４に固定手段（雌ねじ部１４ｂ、雄ねじ部１２ｂ）で着脱可能に取り付けられた取手１２を有する。
【００２９】
この構成によれば、顎骨に形成するインプラント用のフィクスチャー埋設穴の穿孔深さを容易且つ確実に衛生的に計測できる。
【００３０】
この発明の実施の形態のインプラント植設用穿孔深さゲージ（ゲージ本体１１）において、前記固定手段は、前記取付部１４に設けられた雌ねじ部１４ｂと、前記取手１２に設けられ且つ前記雌ねじ部１４ｂに螺着された雄ねじ部１２ｂである。
【００３１】
尚、前記取付部１４は軸状の雄ねじ部とし、この雄ねじ部に螺着される雌ねじ部を取手１２に設けて、この雄ねじ部と雌ねじ部により固定手段を構成しても良い。この場合、この雄ねじ部に雌ねじ部を螺着することにより、取手１２をゲージ本体１１に着脱可能に取り付けることができる。
【００３２】
また、取付部１４の貫通孔１４ａに取手１２を挿通して、取手１２のフランジ１２ｃを取付部１４の一面（貫通孔１４ａが開口する面）に当接させると共に、取付部１４の一面とは反対側の面（貫通孔１４ａが開口する面）に当接するナット部材を取手１２に螺着して、このナット部材とフランジ１２ｃとの間で取付部１４を挟持させることで、取手１２をゲージ本体１１に着脱可能に取り付けるようにしても良い。このナット部材，フランジ１２ｃ等は取付部１４に取手１２を着脱可能に取り付ける固定手段を構成する。
【符号の説明】
【００３３】
１・・・顎骨
２・・・フィクスチャー埋設穴
１０・・・インプラント植設用穿孔深さゲージ（深さゲージ）
１１・・・ゲージ本体
１２・・・取手
１２ｂ・・・雄ねじ部（固定手段の一部）
１３・・・目盛り
１３ａ〜１３ｄ・・・目盛り線
１４・・・取付部
１４ｂ・・・雌ねじ部（固定手段の一部）
【図１】
2012024247.tif 000003
【図２】
2012024247.tif 000004
【図３】
2012024247.tif 000005
【図４】
2012024247.tif 000006
【図５】
2012024247.tif 000007